(57)【要約】  高圧流体側が気体、低圧流体側が液体の場合において、密封と潤滑という相反する条件を両立させることのできるしゅう動部品を提供する。  互いに相対しゅう動する一対のしゅう動部品３、５を備え、一対のしゅう動部品３、５の一方の側には高圧の気体が、他方の側には低圧の液体が存在するものにおいて、少なくとも一方のしゅう動部品５のしゅう動面Ｓには、正圧発生溝１１を備えた正圧発生機構１０が設けられると共に、高圧の気体側には円環状の深溝１４が配設され、円環状の深溝１４は、高圧の気体側とはランド部Ｒにより隔離され、半径方向の深溝１３により低圧の液体側と連通されることを特徴としている。
2018105505.tif 000002
【特許請求の範囲】
【請求項１】
互いに相対しゅう動する一対のしゅう動部品を備え、前記一対のしゅう動部品の一方の側には高圧の気体が、他方の側には低圧の液体が存在するものにおいて、少なくとも一方のしゅう動部品のしゅう動面には、正圧発生溝を備えた正圧発生機構が設けられると共に、前記高圧の気体側には円環状の深溝が配設され、前記円環状の深溝は、前記高圧の気体側とはランド部により隔離され、半径方向の深溝により前記低圧の液体側と連通されることを特徴とするしゅう動部品。
【請求項２】
前記円環状の深溝及び前記半径方向の深溝の溝深さは前記正圧発生溝の溝深さの２５０倍〜５００倍であることを特徴とする請求項１に記載のしゅう動部品。
【請求項３】
前記半径方向の深溝は、周方向に複数設けられることを特徴とする請求項１又は請求項２に記載のしゅう動部品。
【請求項４】
前記正圧発生溝は、円環状の深溝より前記低圧の液体側に配設されると共に前記低圧の液体側に連通され、前記高圧の気体側とはランド部により隔離されることを特徴とする請求項１ないし請求項３のいずれか１項に記載のしゅう動部品。
【請求項５】
前記正圧発生溝は、レイリーステップ機構を構成するグルーブ部から形成され、少なくとも一部のグルーブ部は前記半径方向の深溝の周方向の両側に対称に形成されることを特徴とする請求項４に記載のしゅう動部品。
【請求項６】
前記正圧発生溝は、レイリーステップ機構を構成するグルーブ部から形成され、少なくとも一部のグルーブ部は周方向の中央部分に液体導入補助溝が形成されることを特徴とする請求項４に記載のしゅう動部品。
【請求項７】
前記一方側のしゅう動面には、負圧発生溝を備えた負圧発生機構が設けられることを特徴とする請求項１ないし請求項６のいずれか１項に記載のしゅう動部品。
【発明の詳細な説明】
【技術分野】
【０００１】
本発明は、例えば、メカニカルシール、軸受、その他、しゅう動部に適したしゅう動部品に関する。特に、しゅう動面に流体を介在させて摩擦を低減させるとともに、しゅう動面から流体が漏洩するのを防止する必要のある密封環または軸受などのしゅう動部品に関する。
【背景技術】
【０００２】
しゅう動部品の一例である、メカニカルシールにおいて、その性能は、漏れ量、摩耗量、及びトルクによって評価される。従来技術ではメカニカルシールのしゅう動材質やしゅう動面粗さを最適化することにより性能を高め、低漏れ、高寿命、低トルクを実現している。しかし、近年の環境問題に対する意識の高まりから、メカニカルシールの更なる性能向上が求められており、従来技術の枠を超える技術開発が必要となっている。
そのような中で、本出願人は、静止時に漏れず、回転初期を含み回転時には流体潤滑で作動するとともに漏れを防止し、密封と潤滑とを両立させることのできるしゅう動部品の発明を特許出願している（以下、「従来技術」という。特許文献１参照）。【０００３】
この従来技術の一実施形態として、特許文献１の図１３に示すような、一対の摺動部品の互いに相対摺動する一方側の摺動面の高圧側には正圧発生溝からなる正圧発生機構３を、低圧側には負圧発生溝からなる負圧発生機構４を設けるとともに、正圧発生溝５と負圧発生溝６との間に圧力開放溝１５を設け、正圧発生溝５、圧力開放溝１５及び負圧発生溝６は高圧流体側と連通し、低圧流体側とはシール面により隔離されているしゅう動部品が開示されている。
【先行技術文献】
【特許文献】
【０００４】
【特許文献１】国際公開第２０１２／０４６７４９号（図１３）
【発明の概要】
【発明が解決しようとする課題】
【０００５】
しかし、上記の従来技術は、静止時に漏れず、回転初期を含み回転時には流体潤滑で作動するとともに漏れを防止し、密封と潤滑とを両立させることのできるようにした点できわめて優れたものであるが、高圧流体側には被密封流体である液体が、また、低圧流体側には気体（大気）が存在する場合を想定したものであるため、高圧流体側が気体、低圧流体側が液体の場合、しゅう動面の相対しゅう動により正圧が発生し、しゅう動面間がわずかながら開くと、高圧の気体がしゅう動面に進入し、しゅう動面間の液膜を保持したまましゅう動することが難しくなり、液膜切れを起こすおそれがあった。また、高圧流体側の気体が低圧流体側の液体側へ漏れる可能性もあった。【０００６】
本発明は、高圧流体側が気体、低圧流体側が液体の場合において、しゅう動面全体に積極的に低圧流体側の液体を導入し、液膜を保持したままのしゅう動を可能とし、高圧側及び低圧側の両流体を密封することにより、密封と潤滑という相反する条件を両立させることのできるしゅう動部品を提供することを目的とする。
【課題を解決するための手段】
【０００７】
上記目的を達成するため本発明のしゅう動部品は、第１に、互いに相対しゅう動する一対のしゅう動部品を備え、前記一対のしゅう動部品の一方の側には高圧の気体が、他方の側には低圧の液体が存在するものにおいて、少なくとも一方のしゅう動部品のしゅう動面には、正圧発生溝を備えた正圧発生機構が設けられると共に、前記高圧の気体側には円環状の深溝が配設され、前記円環状の深溝は、前記高圧の気体側とはランド部により隔離され、半径方向の深溝により前記低圧の液体側と連通されることを特徴としている。
この特徴によれば、しゅう動面全体に積極的に低圧の液体を導入すると同時に、しゅう動面への高圧の気体の進入を阻止し、液膜を保持したままのしゅう動を可能とし、高圧側及び低圧側の両流体を密封することができ、密封と潤滑という相反する条件を両立させたしゅう動部品を提供することができる。【０００８】
また、本発明のしゅう動部品は、第２に、第１の特徴において、前記円環状の深溝及び前記半径方向の深溝の溝深さは前記正圧発生溝の溝深さの２５０倍〜５００倍であることを特徴としている。
この特徴によれば、しゅう動面全体に、より積極的に低圧流体側の液体を導入できると同時に、高圧の気体の進入を阻止ことができる。【０００９】
また、本発明のしゅう動部品は、第３に、第１又は第２の特徴において、前記半径方向の深溝は、周方向に複数設けられることを特徴としている。
この特徴によれば、しゅう動面全体に均一に液体を導入することができ、また、円環状の深溝に対しても十分に液体を導入することができる。【００１０】
また、本発明のしゅう動部品は、第４に、第１ないし第３のいずれかの特徴において、前記正圧発生溝は、円環状の深溝より前記低圧の液体側に配設されると共に前記低圧の液体側に連通され、前記高圧の気体側とはランド部により隔離されることを特徴としている。
この特徴によれば、低圧の液体の粘性を利用してしゅう動面に十分な正圧を発生することができる。【００１１】
また、本発明のしゅう動部品は、第５に、第４の特徴において、前記正圧発生溝は、レイリーステップ機構を構成するグルーブ部から形成され、少なくとも一部のグルーブ部は前記半径方向の深溝の周方向の両側に対称に形成されることを特徴としている。
この特徴によれば、回転側密封環が両方向に回転する機器に適したものとすることができる。【００１２】
また、本発明のしゅう動部品は、第６に、第４の特徴において、前記正圧発生溝は、レイリーステップ機構を構成するグルーブ部から形成され、少なくとも一部のグルーブ部は周方向の中央部分に液体導入補助溝が形成されることを特徴としている。
この特徴によれば、しゅう動面に対する液体の導入を補助すると共にグルーブ部における正圧発生のための液体の供給を補助することができ、高圧流体と低圧流体との圧力差が大きい場合でも、しゅう動面Ｓにおける液膜切れを防止することができる。【００１３】
また、本発明のしゅう動部品は、第７に、第１ないし第６のいずれかの特徴において、前記一方側のしゅう動面には、負圧発生溝を備えた負圧発生機構が設けられることを特徴としている。
この特徴によれば、高圧の気体の低圧側への漏洩を低減することができ、密封機能を増大することができる。
【発明の効果】
【００１４】
本発明は、以下のような優れた効果を奏する。
（１）一対のしゅう動部品の一方の側には高圧の気体が、他方の側には低圧の液体が存在するものにおいて、少なくとも一方のしゅう動部品のしゅう動面には、正圧発生溝を備えた正圧発生機構が設けられると共に、高圧の気体側には円環状の深溝が配設され、円環状の深溝は、高圧の気体側とはランド部により隔離され、半径方向の深溝により低圧の液体側と連通されることにより、しゅう動面全体に積極的に低圧の液体を導入すると同時に、しゅう動面への高圧の気体の進入を阻止し、液膜を保持したままのしゅう動を可能とし、高圧側及び低圧側の両流体を密封することができ、密封と潤滑という相反する条件を両立させたしゅう動部品を提供することができる。【００１５】
（２）円環状の深溝及び半径方向の深溝の溝深さは正圧発生溝の溝深さの２５０倍〜５００倍であることにより、しゅう動面全体に、より積極的に低圧流体側の液体を導入できると同時に、高圧の気体の進入を阻止ことができる。【００１６】
（３）半径方向の深溝は、周方向に複数設けられることにより、しゅう動面全体に均一に液体を導入することができ、また、円環状の深溝に対しても十分に液体を導入することができる。【００１７】
（４）正圧発生溝は、円環状の深溝より低圧の液体側に配設されると共に低圧の液体側に連通され、高圧の気体側とはランド部により隔離されることにより、低圧の液体の粘性を利用してしゅう動面に十分な正圧を発生することができる。【００１８】
（５）正圧発生溝は、レイリーステップ機構を構成するグルーブ部から形成され、少なくとも一部のグルーブ部は半径方向の深溝の周方向の両側に対称に形成されることにより、回転側密封環が両方向に回転する機器に適したものとすることができる。【００１９】
（６）正圧発生溝は、レイリーステップ機構を構成するグルーブ部から形成され、少なくとも一部のグルーブ部は周方向の中央部分に液体導入補助溝が形成されることにより、しゅう動面に対する液体の導入を補助すると共にグルーブ部における正圧発生のための液体の供給を補助することができ、高圧流体と低圧流体との圧力差が大きい場合でも、しゅう動面Ｓにおける液膜切れを防止することができる。【００２０】
（７）一方側のしゅう動面には、負圧発生溝を備えた負圧発生機構が設けられることにより、高圧の気体の低圧側への漏洩を低減することができ、密封機能を増大することができる。
【図面の簡単な説明】
【００２１】
【図１】本発明の実施例１に係るメカニカルシールの一例を示す縦断面図である。
【図２】本発明の実施例１に係るメカニカルシールのしゅう動部品のしゅう動面を示す平面図である。
【図３】図２（ａ）は図２のＡ断面図、図２（ｂ）は図２のＢ−Ｂ断面図である。
【図４】レイリーステップ機構などからなる正圧発生機構及び逆レイリーステップ機構などからなる負圧発生機構を説明するためのものであって、図（ａ）はレイリーステップ機構を、図（ｂ）は逆レイリーステップ機構を示したものである。
【図５】本発明の実施例２に係るメカニカルシールのしゅう動部品のしゅう動面を示す平面図である。
【図６】本発明の実施例３に係るメカニカルシールのしゅう動部品のしゅう動面を示す平面図である。
【図７】本発明の実施例４に係るメカニカルシールのしゅう動部品のしゅう動面を示す平面図である。
【図８】本発明の実施例５に係るメカニカルシールのしゅう動部品のしゅう動面を示す平面図である。
【図９】本発明の実施例６に係るメカニカルシールのしゅう動部品のしゅう動面を示す平面図である。
【図１０】本発明の実施例７に係るメカニカルシールのしゅう動部品のしゅう動面を示す平面図である。
【発明を実施するための形態】
【００２２】
以下に図面を参照して、この発明を実施するための形態を、実施例に基づいて例示的に説明する。ただし、この実施例に記載されている構成部品の寸法、材質、形状、その相対的配置などは、特に明示的な記載がない限り、本発明の範囲をそれらのみに限定する趣旨のものではない。  
【実施例１】
【００２３】
図１ないし図４を参照して、本発明の実施例１に係るしゅう動部品について説明する。
なお、以下の実施例においては、しゅう動部品の一例であるメカニカルシールを例にして説明する。また、メカニカルシールを構成するしゅう動部品の外周側を低圧の液体側（低圧流体側ともいう。）、内周側を高圧の気体側（高圧流体側ともいう。）として説明するが、本発明はこれに限定されることなく、低圧流体側と高圧流体側とが逆の場合も適用可能である。【００２４】
図１は、メカニカルシールの一例を示す縦断面図であって、しゅう動面の内周から外周方向に向かって漏れようとする高圧の気体を密封する形式のアウトサイド形式のものであり、回転軸１側にスリーブ２を介してこの回転軸１と一体的に回転可能な状態に設けられた一方のしゅう動部品である円環状の回転側密封環３と、ハウジング４に非回転状態かつ軸方向移動可能な状態で設けられた他方のしゅう動部品である円環状の固定側密封環５とが設けられ、固定側密封環５を軸方向に付勢するコイルドウェーブスプリング６及びベローズ７によって、しゅう動面Ｓ同士で密接しゅう動するようになっている。すなわち、このメカニカルシールは、回転側密封環３と固定側密封環５との互いのしゅう動面Ｓにおいて、高圧の気体が内周側から外周側へ流出するのを防止するものである。【００２５】
図２は、本発明の実施例１に係るしゅう動部品のしゅう動面を示したものであって、ここでは、図１の固定側密封環５のしゅう動面に本発明が適用された場合を例にして説明する。
なお、回転側密封環３のしゅう動面に本発明が適用された場合も基本的には同様であるが、その場合、後記する半径方向の深溝等の低圧の液体側に連通する必要のあるものは、回転側密封環３のしゅう動面の外周側まで設けられる必要はない。【００２６】
図２において、固定側密封環５のしゅう動面Ｓの外周側が低圧の液体側（以下、低圧流体側ともいう。）であり、また、内周側が高圧の気体側（以下、高圧流体側ともいう。）であり、相手しゅう動面は反時計方向に回転するものとして説明する。【００２７】
固定側密封環５のしゅう動面Ｓには、正圧発生溝１１を備えた正圧発生機構１０がそれぞれ独立して複数配列されており、正圧発生溝１１の外周縁が低圧流体側に連通され、高圧流体側とはランド部Ｒ（しゅう動面Ｓの平滑な部分）により隔離されている。
図２においては、正圧発生溝１１は、レイリーステップ機構を構成するグルーブ部１１から形成され、その平面形状は、径方向にはしゅう動面の幅の半分以上の幅を有し、周方向には径方向の幅よりやや長い略矩形状をしており、また、周方向において隣接するグルーブ部１１とはランド部Ｒにより隔離されており、周方向に１６等配で設けられている。
なお、グルーブ部１１は１以上あればよく、また、等配でなくともよい。
レイリーステップ機構については、後記において詳述する。
また、正圧発生機構を構成するものとしては、レイリーステップ機構に限らず、たとえば、スパイラルグルーブからなるスパイラル機構でもよい。【００２８】
また、しゅう動面Ｓには、高圧流体側（図２においては、内周側）には円環状の深溝１４が配設され、円環状の深溝１４は、高圧流体側とはランド部Ｒにより隔離され、半径方向の深溝１３を介して低圧流体側と連通されている。
円環状の深溝１４と高圧流体側との間のランド部Ｒの幅は、高圧流体と低圧流体との圧力差に応じて最適な値に設定される。【００２９】
半径方向の深溝１３は、外周側が低圧流体側と連通され、内周側が円環状の深溝１４と連通されている。
図２においては、半径方向の深溝１３は、周方向に４等配（図２においては垂直方向の上下及び水平方向の左右の４個）で配設されており、グルーブ部１１の周方向の中心部に位置するように形成されている。このため、半径方向の深溝１３が形成されている個所のグルーブ部１１は、半径方向の深溝１３により分断されて半径方向の深溝１３の周方向の両側に対称に形成されることになる。
なお、半径方向の深溝１３は１以上あればよく、また、等配でなくともよい。
たとえば、高圧流体と低圧流体との圧力差が小さい場合は４等配に、また、圧力差が大きい場合は１２等配にするなどして、しゅう動面への低圧流体の導入を調整する。【００３０】
円環状の深溝１４及び半径方向の深溝１３の溝幅及び溝深さは、高圧流体と低圧流体との圧力差が小さい場合は小さく、圧力差が大きい場合は大きく設定される。
また、図３（ａ）（ｂ）に示すように、円環状の深溝１４及び半径方向の深溝１３の溝深さｄ１は正圧発生溝１１の溝深さｄ２より深く、およそｄ１＝２５０ｄ２〜５００ｄ２である。【００３１】
図２に示した例では、相手しゅう動面の回転方向が反時計方向の場合に限らず、時計方向の場合にもしゅう動部品として同様の機能を奏することができるため、両方向に回転する機器に適している。【００３２】
図示は省略しているが、しゅう動面には、密封機構（漏れ防止機構）として逆レイリーステップ機構やポンピンググルーブ等の負圧発生機構を設けてもよい。
なお、逆レイリーステップ機構については後記において詳述する。【００３３】
次に、図４を参照しながら、レイリーステップ機構などからなる正圧発生機構及び逆レイリーステップ機構などからなる負圧発生機構を説明する。
図４（ａ）において、相対するしゅう動部品である回転側密封環３、及び、固定側密封環５が矢印で示すように相対しゅう動する。固定側密封環５のしゅう動面には、相対的移動方向と垂直かつ上流側に面して狭まり隙間（段差）を構成するレイリーステップ１１ａが形成され、該レイリーステップ１１ａの上流側には正圧発生溝であるグルーブ部１１が形成されている。相対する回転側密封環３及び固定側密封環５のしゅう動面Ｓは平坦である。
回転側密封環３及び固定側密封環５が矢印で示す方向に相対移動すると、回転側密封環３及び固定側密封環５のしゅう動面Ｓ間に介在する流体が、その粘性によって、回転側密封環３または固定側密封環５の移動方向に追随移動しようとするため、その際、レイリーステップ１１ａの存在によって破線で示すような正圧（動圧）を発生する。
なお、Ｒはランド部を示す。【００３４】
図４（ｂ）においても、相対するしゅう動部品である回転側密封環３、及び、固定側密封環５が矢印で示すように相対しゅう動するが、回転側密封環３及び固定側密封環５のしゅう動面には、相対的移動方向と垂直かつ下流側に面して拡がり隙間（段差）を構成する逆レイリーステップ１２ａが形成され、該逆レイリーステップ１２ａの下流側には負圧発生溝であるグルーブ部１２が形成されている。相対する回転側密封環３及び固定側密封環５のしゅう動面は平坦である。
回転側密封環３及び固定側密封環５が矢印で示す方向に相対移動すると、回転側密封環３及び固定側密封環５のしゅう動面Ｓ間に介在する流体が、その粘性によって、回転側密封環３または固定側密封環５の移動方向に追随移動しようとするため、その際、逆レイリーステップ１２ａの存在によって破線で示すような負圧を発生する。【００３５】
図１及び２において、回転軸１が駆動されずに回転側密封環３と固定側密封環５とのしゅう動面Ｓの相対しゅう動のない静止状態においては、低圧流体側の液体がしゅう動面Ｓに設けられた半径方向の深溝１３を介して円環状の深溝１４に導入された状態にある。
次に、回転軸１が駆動され、回転側密封環３が回転されると、回転側密封環３と固定側密封環５とのしゅう動面Ｓが相対しゅう動され、正圧発生機構１０により正圧が発生されてしゅう動面Ｓ同士がわずかに離間され、高圧流体側の気体がしゅう動面Ｓに流入しようとするが、円環状の深溝１４に導入されている液体が周方向に旋回されるため、高圧の気体はここでブロックされてしゅう動面Ｓの内部に進入することができない。
同時に、しゅう動面Ｓには、低圧流体側の液体が進入して液膜が形成される。
本発明者らの試験によると、円環状の深溝１４の高圧流体側の付近に円環状の気液界面が形成され、しゅう動面では液膜切れを起こすことなく流体潤滑を維持したまましゅう動していることが確認された。【００３６】
本発明の実施例１に係るしゅう動部品は上記のとおりであり、以下のような優れた効果を奏する。  
（１）互いに相対しゅう動する一対のしゅう動部品３、５を備え、一対のしゅう動部品３、５の一方の側には高圧の気体が、他方の側には低圧の液体が存在するものにおいて、少なくとも一方のしゅう動部品のしゅう動面Ｓには、正圧発生溝１１を備えた正圧発生機構１０が設けられると共に、高圧の気体側には円環状の深溝１４が配設され、円環状の深溝１４は、高圧の気体側とはランド部Ｒにより隔離され、半径方向の深溝１３により低圧の液体側と連通されることにより、しゅう動面Ｓ全体に積極的に低圧の液体を導入すると同時に、しゅう動面Ｓへの高圧の気体の進入を阻止し、液膜を保持したままのしゅう動を可能とし、高圧側及び低圧側の両流体を密封することができ、密封と潤滑という相反する条件を両立させたしゅう動部品を提供することができる。  
（２）円環状の深溝１４及び半径方向の深溝１３の溝深さｄ１は正圧発生溝１１の溝深さｄ２の２５０倍〜５００倍であることにより、しゅう動面Ｓ全体に、より積極的に低圧流体側の液体を導入できると同時に、高圧の気体の進入を阻止ことができる。
（３）半径方向の深溝１３は、周方向において等配に複数設けられることにより、しゅう動面全体に均一に液体を導入することができ、また、円環状の深溝１４に対しても十分に液体を導入することができる。
（４）正圧発生溝１１は、円環状の深溝１４より低圧の液体側に配設されると共に低圧の液体側に連通され、高圧の気体側とはランド部Ｒにより隔離されることにより、低圧の液体の粘性を利用してしゅう動面に十分な正圧を発生することができる。
（５）正圧発生溝１１は、レイリーステップ機構を構成するグルーブ部から形成され、少なくとも一部のグルーブ部は半径方向の深溝１３の周方向の両側に対称に形成されることにより、回転側密封環が両方向に回転する機器に適したものとすることができる。
【実施例２】
【００３７】
図５を参照して、本発明の実施例２に係るしゅう動部品について説明する。
実施例２は、正圧発生溝を構成するレイリーステップ機構のグルーブ部の周方向の中央部分が一段と低く形成される点で実施例１と相違するが、その他の基本構成は実施例１と同じであり、同じ部材には同じ符号を付し、重複する説明は省略する。【００３８】
図５において、固定側密封環５のしゅう動面Ｓには、グルーブ部１１を備えたレイリーステップ機構１０がそれぞれ独立して複数配列されており、グルーブ部１１の外周縁が低圧流体側に連通され、高圧流体側とはランド部Ｒにより隔離されている。
図５においては、グルーブ部１１は周方向に１２等配設けられている。
また、半径方向の深溝１３は、外周側が低圧流体側と連通され、内周側が円環状の深溝１４と連通されており、周方向に４等配（図５においては垂直方向の上下及び水平方向の左右の４個）で配設されており、グルーブ部１１の周方向の中心部に位置するように形成されている。このため、半径方向の深溝１３が形成されている４個所のグルーブ部１１は、半径方向の深溝１３により分断されて半径方向の深溝１３の周方向の両側に対称に形成されることになる。【００３９】
半径方向の深溝１３が設けられていない残りの８個のグルーブ部１１において、それぞれのグルーブ部１１の周方向の中央部分にグルーブ部１１の溝深さよりも深い液体導入補助溝１５が設けられている。このため、グルーブ部１１の中央部分は一段低い状態となっている。【００４０】
液体導入補助溝１５は、グルーブ部１１と同様に低圧流体側の端部は低圧流体側に連通され、高圧流体側の端部はランド部Ｒにより円環状の深溝１４と隔離されている。
液体導入補助溝１５の溝幅及び溝深さは高圧流体と低圧流体との圧力差が大きい場合は大きく、小さい場合は小さく設定される。【００４１】
液体導入補助溝１５は、しゅう動面Ｓに対する液体の導入を補助すると共にグルーブ部１１における正圧発生のための液体の供給を補助する機能を有する。
そのため、高圧流体と低圧流体との圧力差が大きい場合でも、しゅう動面Ｓにおける液膜切れを防止することができる。
【実施例３】
【００４２】
図６を参照して、本発明の実施例３に係るしゅう動部品について説明する。
実施例３は、正圧発生溝を構成するレイリーステップ機構のグルーブ部の低圧流体側の端部がランド部Ｒにより低圧流体側と隔離される点で実施例２と相違するが、その他の基本構成は実施例２と同じであり、同じ部材には同じ符号を付し、重複する説明は省略する。【００４３】
図６において、固定側密封環５のしゅう動面Ｓには、グルーブ部１７を備えたレイリーステップ機構１６がそれぞれ独立して複数配列されており、正圧発生溝を構成するグルーブ部１７の外周縁はランド部Ｒにより低圧流体側と隔離され、高圧流体側ともランド部Ｒにより隔離されている。
【実施例４】
【００４４】
図７を参照して、本発明の実施例４に係るしゅう動部品について説明する。
実施例４は、半径方向の深溝は、周方向に４等配で配設され、正圧発生溝を構成するレイリーステップ機構のグルーブ部は半径方向の深溝の周方向の両側にのみ対称に形成される点で実施例２と相違するが、その他の基本構成は実施例２と同じであり、同じ部材には同じ符号を付し、重複する説明は省略する。【００４５】
図６において、半径方向の深溝１３は、周方向に４等配で配設され、レイリーステップ機構１８を構成するグルーブ部１９は半径方向の深溝の周方向の両側にのみ対称に形成されている。
グルーブ部１９の外周縁は低圧流体側に連通され、高圧流体側とはランド部Ｒにより隔離されている。【００４６】
グルーブ部１９の平面形状は、径方向にはしゅう動面の幅の略半分の幅を有し、周方向には径方向の幅より長く、全体として略アーチ状をしており、また、周方向において隣接するグルーブ部１９とはランド部Ｒにより隔離されている。
【実施例５】
【００４７】
図８を参照して、本発明の実施例５に係るしゅう動部品について説明する。
実施例５は、正圧発生溝を構成するレイリーステップ機構のグルーブ部の低圧流体側の端部がランド部Ｒにより低圧流体側と隔離される点で実施例４と相違するが、その他の基本構成は実施例４と同じであり、同じ部材には同じ符号を付し、重複する説明は省略する。【００４８】
図８において、固定側密封環５のしゅう動面Ｓには、グルーブ部１９を備えたレイリーステップ機構１８がそれぞれ独立して複数配列されており、正圧発生溝を構成するグルーブ部１９の外周縁はランド部Ｒにより低圧流体側と隔離され、高圧流体側ともランド部Ｒにより隔離されている。
【実施例６】
【００４９】
図９を参照して、本発明の実施例６に係るしゅう動部品について説明する。
実施例６は、正圧発生溝を構成するレイリーステップのグルーブ部が半径方向の深溝の下流側にのみ設けられる点で上記実施例１〜５と相違するが、その他の基本構成は上記実施例１〜５と同じであり、同じ部材には同じ符号を付し、重複する説明は省略する。【００５０】
図９において、固定側密封環５のしゅう動面Ｓには、グルーブ部２１を備えたレイリーステップ機構２０がそれぞれ独立して複数配列されており、グルーブ部２１の外周縁が低圧流体側に連通され、高圧流体側とはランド部Ｒにより隔離されている。【００５１】
また、しゅう動面Ｓには、高圧流体側に円環状の深溝１４が配設され、円環状の深溝１４は、高圧流体側とはランド部Ｒにより隔離され、半径方向の深溝１３を介して低圧流体側と連通されている。【００５２】
半径方向の深溝１３は、外周側が低圧流体側と連通され、内周側が円環状の深溝１４と連通されている。
図９においては、半径方向の深溝１３は、周方向に１２等配で配設されており、グルーブ部２１の上流側の端部が半径方向の深溝１３に連通されている。【００５３】
グルーブ部２１は、半径方向の深溝１３の下流側にのみ設けられるため、相手しゅう動面の回転方向が反時計方向の場合の片方向に回転する機器に適している。
【実施例７】
【００５４】
図１０を参照して、本発明の実施例７に係るしゅう動部品について説明する。
実施例７は、正圧発生溝を構成するレイリーステップ機構のグルーブ部の低圧流体側の端部がランド部Ｒにより低圧流体側と隔離される点で実施例６と相違するが、その他の基本構成は実施例６と同じであり、同じ部材には同じ符号を付し、重複する説明は省略する。【００５５】
図１０において、固定側密封環５のしゅう動面Ｓには、グルーブ部２１を備えたレイリーステップ機構２０がそれぞれ独立して複数配列されており、正圧発生溝を構成するグルーブ部２１の外周縁はランド部Ｒにより低圧流体側と隔離され、高圧流体側ともランド部Ｒにより隔離されている。【００５６】
以上、本発明の実施例を図面により説明してきたが、具体的な構成はこれら実施例に限られるものではなく、本発明の要旨を逸脱しない範囲における変更や追加があっても本発明に含まれる。【００５７】
例えば、前記実施例では、しゅう動部品をメカニカルシール装置における一対の回転用密封環及び固定用密封環のいずれかに用いる例について説明したが、円筒状しゅう動面の軸方向一方側に潤滑油を密封しながら回転軸としゅう動する軸受のしゅう動部品として利用することも可能である。【００５８】
また、例えば、前記実施例では、外周側に低圧の液体が、内周側に高圧の気体が存在する場合について説明したが、逆の場合にも適用できる。【００５９】
また、例えば、前記実施例では、しゅう動部品を構成するメカニカルシールの固定側密封環に正圧発生機構、負圧発生機構及び深溝を設ける場合について説明したが、これとは逆に、回転側密封環に設けてもよい。【００６０】
また、例えば、前記実施例では、正圧発生機構がレイリーステップ機構により構成される場合について説明したが、これに限らず、たとえば、スパイラル機構により構成されてもよい。【００６１】
また、例えば、前記実施例では、半径方向の深溝が周方向に４等配で設けられる場合について説明したが、これに限らず、内外周の流体の圧力差が大きい場合はより多く、小さい場合は少なく配設してもよい。
【符号の説明】
【００６２】
１                    回転軸
２                    スリーブ
３                    回転側密封環
４                    ハウジング
５                    固定側密封環
６                    コイルドウェーブスプリング
７                    ベローズ
１０                   正圧発生機構（レイリーステップ機構）
１１                   正圧発生溝（レイリーステップ機構を構成するグルーブ部）
１１ａ                 レイリーステップ  
１２                   逆レイリーステップ機構を構成するグルーブ部
１２ａ                 逆レイリーステップ
１３                   半径方向の深溝
１４                   円環状の深溝
１５                   液体導入補助溝
１６、１８、２０       正圧発生機構（レイリーステップ機構）
１７、１８、２１       正圧発生溝（レイリーステップ機構を構成するグルーブ部）
Ｓ                     シール面
Ｒ                     ランド部
【図１】
2018105505.tif 000003
【図２】
2018105505.tif 000004
【図３】
2018105505.tif 000005
【図４】
2018105505.tif 000006
【図５】
2018105505.tif 000007
【図６】
2018105505.tif 000008
【図７】
2018105505.tif 000009
【図８】
2018105505.tif 000010
【図９】
2018105505.tif 000011
【図１０】
2018105505.tif 000012
【国際調査報告】
2018105505.tif 000013
2018105505.tif 000014
2018105505.tif 000015